(57)【要約】      （修正有）【課題】動力を用いることなしに栽培ベッドの液位を昇降させることができるだけでなく、フロート弁機構等の小さな作動部品を一切用いることなく、簡素な構成により確実に作動しつづける水耕栽培装置を提供する。【解決手段】栽培ベッド３と、養液槽７と、内部に養液を保持可能な気密性を有する養液タンク１１と、前記栽培ベッド３の液位が前記最低液位を下回った場合に前記養液タンク１１内に大気を導入するための大気導入路１７と、流出口１９から前記養液槽７に流下した養液を所定の溢出液位において前記栽培ベッド３に溢れさせる堰部２１と、前記養液槽７内の養液を重力により少しずつ前記栽培ベッド３に漏出させる漏出流路２３とを具備してなる。【選択図】図３
2011050294.tif 000002
【特許請求の範囲】
【請求項１】
培地を配するための栽培ベッドと、この栽培ベッドに養液を供給するための養液槽と、上部に形成される気相内の気圧と大気圧との差によって内部に養液を保持可能な気密性を有する養液タンクと、この養液タンク内の上部気相に一端を連通させるとともに他端を前記栽培ベッドの最低液位に対応する位置に開口させて設けられ前記栽培ベッドの液位が前記最低液位を下回った場合に前記養液タンク内に大気を導入するための大気導入路と、この大気導入路から前記養液タンクの上部気相に大気が導入されることにより該養液タンクの下部に設けられた流出口から前記養液槽に流下した養液を所定の溢出液位において前記栽培ベッドに溢れさせる堰部と、この堰部から溢れ出た養液により前記大気導入路が閉塞されて養液タンクからの養液の流下が止まった後も前記養液槽内の養液を重力により少しずつ前記栽培ベッドに漏出させる漏出流路とを具備してなることを特徴とする水耕栽培装置。
【請求項２】
培地を配するための栽培ベッド内に養液を供給するものであって、
前記栽培ベッドに養液を供給するための養液槽と、上部に形成される気相内の気圧と大気圧との差によって内部に養液を保持可能な気密性を有する養液タンクと、この養液タンク内の上部気相に一端を連通させるとともに他端を前記栽培ベッドの最低液位に対応する位置に開口させて設けられ前記栽培ベッドの液位が前記最低液位を下回った場合に前記養液タンク内に大気を導入するための大気導入路と、この大気導入路から前記養液タンクの上部気相に大気が導入されることにより該養液タンクの下部に設けられた流出口から前記養液槽に流下した養液を所定の溢出液位において前記栽培ベッドに溢れさせる堰部と、この堰部から溢れ出た養液により前記大気導入路が閉塞されて養液タンクからの養液の流下が止まった後も前記養液槽内の養液を重力により少しずつ前記栽培ベッドに漏出させる漏出流路とを具備してなることを特徴とする給液ユニット。
【発明の詳細な説明】
【技術分野】
【０００１】
本発明は、水耕栽培装置に関し、特に、格別な動力を用いることなしに養液の供給を行うようにしたいわゆるパッシブ型の水耕栽培装置に係るものである。
【背景技術】
【０００２】
従来から、この種の水耕栽培装置として、培地に植えられた植物の根に養液を触れさせるための栽培ベッドを有してなり、栽培中にその栽培ベッド上の養液の液位を昇降制御することができるようにしたものが知られている。すなわち、この種の装置は、まず、栽培ベッドに最高液位まで養液を供給しておき、培地に植えられた植物の根がその養液に十分に接触し得る状態にしておく。そして、植物が前記養液を吸収することにより栽培ベッドの液位が低下してもそのまま放置し、その液位が予め設定した最低液位にまで低下した段階で初めて前記栽培ベッドに新たな養液を前記最高液位まで補充するようになっている。このような動作を繰り返すことによって、前記培地に植えつけられた植物の根に、富養液供給状態と養液が不足して空気に触れる機会が多くなる飢餓状態とを交互に経験させ、それによって前記植物の根腐れを防止して健全な発育を促進することができるものである。      
【０００３】
このような液位の制御は、前記最低液位および最高液位をそれぞれ検出する水位センサを用いて養液供給ポンプを制御することによって実現することができるが、最近、ポンプ等の動力を一切用いることなしにこのような液位制御を行うことができるようにした省エネルギー型の装置も開発されている（例えば、非特許文献１を参照）。
【０００４】
ところが、従来の省エネルギー型水耕栽培装置は、液位の昇降により作動するフロートにより弁を開閉するようにしたフロート弁機構を２組使用して前述した液位の制御を行うようになっており、小さな作動部分が多い上に部品点数の削減が難しいという問題があった。
【先行技術文献】
【非特許文献】
【０００５】
【非特許文献１】ランド新商品研究所、“スマートバルブ”、［ｏｎｌｉｎｅ］、ランド新商品研究所ホームページ、［平成２１年８月３１日検索］、インターネット＜ＵＲＬ：http://www.landnp.jp/smartvalve.htm＞
【発明の概要】
【発明が解決しようとする課題】
【０００６】
本発明は、以上のような事情に着目してなされたもので、前述した省エネルギー型のものが有している課題を解消し、動力を用いることなしに栽培ベッドの液位を昇降させることができるだけでなく、フロート弁機構等の小さな作動部品を削減することができ、簡素な構成により確実に作動しつづける画期的な水耕栽培装置を提供しようとするものである。
【課題を解決するための手段】
【０００７】
本発明は、かかる目的を達成するために、次のような手段を講じたものである。すなわち、本発明に係る水耕栽培装置は、培地を配するための栽培ベッドと、この栽培ベッドに養液を供給するための養液槽と、上部に形成される気相内の気圧と大気圧との差によって内部に養液を保持可能な気密性を有する養液タンクと、この養液タンク内の上部気相に一端を連通させるとともに他端を前記栽培ベッドの最低液位に対応する位置に開口させて設けられ前記栽培ベッドの液位が前記最低液位を下回った場合に前記養液タンク内に大気を導入するための大気導入路と、この大気導入路から前記養液タンクの上部気相に大気が導入されることにより該養液タンクの下部に設けられた流出口から前記養液槽に流下した養液を所定の溢出液位において前記栽培ベッドに溢れさせる堰部と、この堰部から溢れ出た養液により前記大気導入路が閉塞されて養液タンクからの養液の流下が止まった後も前記養液槽内の養液を重力により少しずつ前記栽培ベッドに漏出させる漏出流路とを具備してなることを特徴とする。
【０００８】
養液タンクが気密性を有するとは、養液タンク内と外気とを連通する連通路が存在する場合であっても、この連通路内に養液が入った状態や蓋で閉塞された状態で養液タンク内に新たな外気が導入されない構造をも含む概念である。
【０００９】
養液とは、植物を育てるための液体全般を意味しており、肥料分を積極的に混入しない純粋な水も含まれる。また、このような水としては水道水の他、クラスターの小さいナノ水等の特殊な水を用いてもよい。
【００１０】
このようなものであれば、栽培ベッドに最高液位まで養液が満たされている場合には、その栽培ベッド上の培地に植えられた植物に十分な養液を供給することができる状態となり、一方、栽培ベッドの養液が最低液位付近にまで下がった場合には、前記培地に植えられた植物は飢餓状態となる。そのため、かかるウェット状態とドライ状態とを繰り返すことにより、植物の根腐れ等を防止して健全な発育を促進することができる。
すなわち、栽培ベッドの養液が最高液位に保たれている状態で植物を栽培していると、その養液が植物に吸収され、栽培ベッドの液位が徐々に低下していく。そして、栽培ベッドの液位が最低液位を下回ると、大気導入路から養液タンクの上部気相内に大気が導入され、その養液タンク内の養液が養液槽内に流下する。養液槽内の養液が増加して堰部にまで達すると、その養液が堰部を超えて栽培ベッド上にあふれ出る。その結果、栽培ベッドの液位が上昇し、大気導入路が塞がれて養液タンクからの養液の流下が止まる。それにより、堰部からの養液が溢れ出るのも止まるが、その養液槽に残った養液は漏出流路から徐々に栽培ベッドに供給され、最終的に栽培ベッドの液位が最高液位に達することになる。しかして、前記最高液位とは、養液槽と栽培ベッドとの容量差や漏出流路の形成位置等により決定されるものである。
【００１１】
培地を配するための栽培ベッド内に養液を供給する好適な給液ユニットとしては、前記栽培ベッドに養液を供給するための養液槽と、上部に形成される気相内の気圧と大気圧との差によって内部に養液を保持可能な気密性を有する養液タンクと、この養液タンク内の上部気相に一端を連通させるとともに他端を前記栽培ベッドの最低液位に対応する位置に開口させて設けられ前記栽培ベッドの液位が前記最低液位を下回った場合に前記養液タンク内に大気を導入するための大気導入路と、この大気導入路から前記養液タンクの上部気相に大気が導入されることにより該養液タンクの下部に設けられた流出口から前記養液槽に流下した養液を所定の溢出液位において前記栽培ベッドに溢れさせる堰部と、この堰部から溢れ出た養液により前記大気導入路が閉塞されて養液タンクからの養液の流下が止まった後も前記養液槽内の養液を重力により少しずつ前記栽培ベッドに漏出させる漏出流路とを具備してなるものが好ましい。
【発明の効果】
【００１２】
本発明は、以上のような構成であるから、ポンプ等の動力を用いることなしに、また、従来の省エネルギー型水耕栽培装置において使用していたフロート弁機構を必要とせずに栽培ベッドの液位を繰り返し昇降させることができる。そのため、フロート弁機構等の小さな作動部品を用いる場合のように作動不良を招くこともなく、簡素な構成により確実に作動しつづけることが可能な水耕栽培装置を提供することができるものである。
【図面の簡単な説明】
【００１３】
【図１】本発明の第１実施形態にかかる水耕栽培装置を示す全体斜視図。
【図２】同水耕栽培装置の要部を示す斜視図。
【図３】同水耕栽培装置の概略的な側断面図。
【図４】同水耕栽培装置の要部を示す部分拡大断面図。
【図５】図４におけるＡ−Ａ線断面図。
【図６】同水耕栽培装置の使用方法を示す説明図。
【図７】同水耕栽培装置の作動説明図。
【図８】同水耕栽培装置の作動説明図。
【図９】同水耕栽培装置の作動説明図。
【図１０】同水耕栽培装置の作動説明図。
【図１１】同水耕栽培装置の作動説明図。
【図１２】本発明の第２実施形態にかかる水耕栽培装置を示す模式図。
【図１３】本発明の第３実施形態にかかる水耕栽培装置を示す模式図。
【図１４】本発明の第４実施形態にかかる水耕栽培装置を示す模式図。
【発明を実施するための形態】
【００１４】
以下、本発明の第１実施形態にかかる水耕栽培装置を、図１ないし図１１を参照して説明する。
【００１５】
この実施形態は、家庭等で用いられる小型の水耕栽培装置に関し、特に、格別な動力を用いることなしに養液の供給を行うようにしたいわゆるパッシブ型の水耕栽培装置に係るものである。すなわち、この水耕栽培装置は、図１及び図３に示すように、培地１を配するための栽培ベッド３と、この栽培ベッド３内の養液の液位を制御するための給液ユニット５とを具備してなる。
【００１６】
この給液ユニット５は、図１及び図３に示すように、前記栽培ベッド３に養液を供給するための養液槽７と、上部に形成される気相９内の気圧と大気圧との差によって内部に養液を保持可能な気密性を有する養液タンク１１と、この養液タンク１１内の上部気相９に一端１３を連通させるとともに他端１５を前記栽培ベッド３の最低液位Ｌ１に対応する位置に開口させて設けられ前記栽培ベッド３の液位が前記最低液位Ｌ１を下回った場合に前記養液タンク１１内に大気を導入するための大気導入路１７と、この大気導入路１７から前記養液タンク１１の上部気相９に大気が導入されることにより該養液タンク１１の下部に設けられた流出口１９から前記養液槽７に流下した養液を所定の溢出液位Ｌ２において前記栽培ベッド３に溢れさせる堰部２１と、この堰部２１から溢れ出た養液により前記大気導入路１７が閉塞されて養液タンク１１からの養液の流下が止まった後も前記養液槽７内の養液を重力により少しずつ前記栽培ベッド３に漏出させる漏出流路２３とを具備してなる。
【００１７】
前記栽培ベッド３は、図１及び図３に示すように、培地１に植えられた植物Ｐの根に養液を接触させるためのもので、養液を貯めることができるように周縁に連続した起立壁３ａを有した扁平な箱状をなしている。この栽培ベッド３の底部３ｂには、培地１を載置するための培地載置台２５が設けられており、この培地載置台２５上にロックウール等により作られ中央に設けた保持孔１ａ内に植物Ｐの茎が保持される培地１が配されている。培地載置台２５としては、ある程度の保水性を有した発泡体等が用いられる。
【００１８】
前記養液槽７は、図１及び図３に示すように、前記栽培ベッド３に養液を供給するためのもので、例えば栽培ベッド３の上に配置されている。
【００１９】
前記養液タンク１１は、図１及び図３に示すように、単一の開口部２７を有した気密容器体であり、養液を注入した後、その開口部２７が下になるように配することによって上部に気相９が閉じ込められることになり、この上部に形成される気相９内の気圧と大気圧との差によって内部に注入した養液を保持することができるように構成されている。使用時には、前記開口部２７が前記養液槽７の底部３ｂ付近に位置するようにして養液槽７上に設置されるものである。具体的には、前記養液タンク１１は、下端１５に筒状の開口部２７を有した逆さ瓶状のもので、前記養液槽７の底壁７ａ中央に設けたタンク保持部材２９にその開口部２７を嵌合させて前記養液タンク１１上に着脱可能に保持される。
【００２０】
前記タンク保持部材２９は、図２ないし図５に示すように、底壁に貫設したベース３１と、このベース３１の中心部に設けられた貫通孔３３ａを有する軸部３３と、この軸部３３に対して放射状をなすようにして前記ベース３１の上面に設けられた複数のリブ３５とを具備してなるもので、例えば合成樹脂などにより一体に成形されている。前記リブ３５は、前記開口部２７の下端１５に形成される流出口１９を支持する横向き支持辺３５ａと、前記開口部２７の外周面を支持する起立支持辺３５ｂとを備えたものであり、前記流出口１９は前記リブ３５間に形成される空間３７を介して養液槽７内に連通している。前記軸部３３は、前記ベース３１の上面から上方に突出する筒状のものであり、この軸部３３に形成された貫通孔３３ａはこの軸部３３の上端面３３ｂからベース３１の下面３１ａまで連通している。軸部３３の外周面は、上方に向かって小径となるゆるやかなテーパ形状をなしている。
【００２１】
前記大気導入路１７は、図２ないし図４に示すように、このベース３１の軸部３３を利用して構成されている。すなわち、前記軸部３３には、その上端１３が養液タンク１１の気相９にまで達するパイプ３９が液密に外嵌されており、この大気導入路１７は、前記パイプ３９内に形成される連続通路３９ａとこの連続通路３９ａに連通する前記軸部３３の貫通孔３３ａとによって構成されている。しかしてこの大気導入路１７は、その上端１３が養液タンク１１の気相９に連通し、下端１５が栽培ベッド３の底部３ｂ付近に連通している。大気導入路１７の下端１５は、目標とする最低液位Ｌ１の若干上に位置させてある。若干とは、例えば１ｍｍから３ｍｍ、好ましくは２ｍｍ程度を意味している。
【００２２】
前記堰部２１は、図１及び図３に示すように、養液タンク１１の下部に設けられた前記流出口１９から前記養液槽７に流下した養液を所定の溢出液位Ｌ２において前記栽培ベッド３に溢れさせるためのもので、例えば前記養液槽７の起立壁７ｂの途中に開設されている。この堰部２１は、前記流出口１９の高さ位置Ｈ１よりも高い位置Ｈ２に設けられている。
【００２３】
前記漏出流路２３は、図１及び図３に示すように、前記堰部２１から溢れ出た養液により前記大気導入路１７が閉塞されて養液タンク１１からの養液の流下が止まった後も前記養液槽７内の養液を重力により少しずつ前記栽培ベッド３に漏出させるためのもので、例えば前記養液槽７の起立壁７ｂの途中に開設されている。この漏出流路２３は、前記流出口１９の高さ位置Ｈ１よりも高い位置で、前記堰部２１の高さ位置Ｈ２よりも低い位置Ｈ３に設けられている。前記漏出流路２３による養液の漏出速度は、前記養液槽７に養液を一時的に溜めることができるように、前記養液タンク１１の流出口１９からの養液の流出速度よりも低い値に設定してある。具体的には、前記養液槽７の養液が溢出液位Ｌ２に達するまでに、漏出流路２３から漏出した養液により栽培ベッド３上の液位が最低液位Ｌ１以上に達することがないように、前記漏出流路２３の開口面積は極めて小さな値に設定されている。
【００２４】
このような構成のものであれば、図７ないし図１１に模式的に示すような動作により栽培ベッド３の養液の液位を制御することができる。
【００２５】
すなわち、図７は、栽培ベッド３の液位が最高液位Ｌ３に保たれて安定しているウェット状態を示している。このウェット状態では、栽培ベッド３上に載置された培地１の下部が養液に浸漬しており、この培地１に植えられた植物Ｐの根に養液が十分に供給され得る。
【００２６】
このウェット状態をそのまま放置して植物Ｐを栽培していると、図８に示すように、栽培ベッド３上の養液が植物Ｐに吸収されその液位が徐々に低下していく。そのため、栽培ベッド３はウェット状態からドライ状態になっていく。
【００２７】
そして、図９に示すように、栽培ベッド３の液位が最低液位Ｌ１に達すると、養液の液面が大気導入路１７の下端１５よりも低下し、養液の表面張力により前記大気導入路１７の下端１５がかろうじて閉塞されている状態となる。
【００２８】
この最低液位Ｌ１を下回ると、図１０に示すように、表面張力による大気導入路１７の閉塞状態が破れ、大気導入路１７の下端１５が大気に開放される。その結果、大気が大気導入路１７を通して養液タンク１１の気相９内に導入され、その気相９内の負圧状態が一時的に解消されて、養液タンク１１内の養液の一部が流出口１９から養液槽７内に流出する。しばらくこの状態が続くと、図１０に示すように、養液槽７内の養液が一気に溢出液位Ｌ２まで上昇し、養液槽７内の養液が堰部２１から栽培ベッド３上に溢れ出ることになる。
【００２９】
そうすると、栽培ベッド３の液位が上昇し、大気導入路１７の下端１５が再び養液により閉塞されて、養液タンク１１からの養液の流出が停止する。しかし、養液槽７には漏出流路２３が設けられているため、図１１に示すように、養液槽７に溜まった養液はこの漏出流路２３を通して徐々に栽培ベッド３上に漏出することになり、図７に示すように栽培ベッド３上の液位が最高液位Ｌ３に達した段階でウェット状態に復帰し、養液の流れは停止する。
【００３０】
このようにして数週間が経ち、養液タンク１１内の養液が底をついた場合には、図６に示すように、養液タンク１１と養液槽７とを１８０度姿勢を変えながら栽培ベッド３の外に取り出し、開口部２７を上に向けた状態で養液タンク１１内に養液を補充する。しかる後に、この養液タンク１１に逆さに養液槽７を被せ、その状態で一気に１８０度反転させて栽培ベッド３上に設置する。このような操作を行えば、最終的に図７に示すような状態で安定する。
【００３１】
このようなものであるため、栽培ベッド３に最高液位Ｌ３まで養液が満たされている場合には、その栽培ベッド３上の培地１に植えられた植物Ｐに十分な養液を供給することができる。一方、栽培ベッド３の養液が最低液位Ｌ１付近にまで下がった場合には、前記培地１に植えられた植物Ｐは飢餓状態となる。このような動作を繰り返すことによって、前記培地１に植え付けられた植物Ｐの根に、富養液供給状態たるウェット状態と養液が不足して空気に触れる機械が多くなる飢餓状態たるドライ状態とを交互に経験させ、それによって前記植物Ｐの根腐れを防止して健全な発育を促進することができる。
【００３２】
また、本実施形態にかかる栽培装置は、いわゆるかけ流し式であるため、排液機構を別途設ける必要がなく部品点数の削減を図ることができ、栽培ベッド３上に供給された養液が廃液として外部に流出しないため効率よく植物Ｐを栽培することが可能である。さらに、養液タンク１１に予め所望の濃度の養液を入れておくことにより、その濃度を維持した状態で栽培ベッド３上に養液を供給することができる。
【００３３】
次いで、本発明の第２実施形態を模式的に示した図１２を参照して説明する。なお、図１ないし図１１に示す実施形態と同一または相当する場合には、同一の符号を付して説明を省略する。
【００３４】
この実施形態は、養液タンク１１の開口部２７に弁機構４５を設けたものである。すなわち、この養液タンク１１の下端口部４１には前記開口部２７を形成するキャップ４３が螺着されている。このキャップ４３の内部には、この養液タンク１１が図１２に示すような所定設置位置に設置された場合にだけ開成する弁機構４５が設けられている。したがって、このようなものであれば、前記キャップ４３を外して養液タンク１１に養液を補充した後、この養液タンク１１を前記キャップ４３が下になるような姿勢で吊り下げて所定設置位置に設置する際に養液タンク１１内の養液がこぼれることがなく、養液の補充を手軽に行うことが可能になる。
【００３５】
また、この実施形態の大気導入路１７は、一端１３を養液タンク１１の上部に連通させ他端１５を栽培ベッド３の最低液位Ｌ１に位置させたパイプ３９内に形成されたものである。
【００３６】
さらに、この実施形態の堰部２１は、養液タンク１１の底壁に貫通させた大径パイプ４７の上端縁４７ａにより形成されたものである。したがって、養液槽７内の養液が大径パイプ４７を通して栽培ベッド３上に溢れ出ることになる。
【００３７】
次に、本発明の第３実施形態を模式的に示した図１３を参照して説明する。なお、図１ないし図１１に示す実施形態と同一または相当する場合には、同一の符号を付して説明を省略する。
【００３８】
この実施形態は、単一の容器４９を仕切り壁５１により仕切ることにより栽培ベッド３と養液槽７とを形成したものである。この場合には、堰部２１は前記仕切り壁５１の上縁５１ａに形成され、漏出流路２３は前記仕切り壁５１の途中に形成される。この実施形態では、養液タンク１１をタンク本体５３とこの本体の下端１５に接続したホース５５とから構成し、このタンク本体５３を前記養液槽７の真上に設けない例を示している。この場合には、前記ホース５５の先端を前記養液槽７内に位置させて開口部２７としている。
【００３９】
また、この実施形態の大気導入路１７は、一端１３を養液タンク１１の上部に連通させ他端１５を栽培ベッド３の最低液位Ｌ１に位置させたパイプ３９内に形成されたものである。
【００４０】
次に、本発明の第４実施形態を模式的に示した図１４を参照して説明する。なお、図１ないし図１１に示す実施形態と同一または相当する場合には、同一の符号を付して説明を省略する。
【００４１】
この実施形態は、養液タンク１１が、上部に養液補給口５７を有したタンク本体５３と、このタンク本体５３の下端１５に接続したホース５５とを具備している。前記養液補給口５７には、気密キャップ５９が装脱可能に設けられ、前記タンク本体５３と前記ホース５５との接続部には手動操作により開閉可能な開閉弁６１が設けられている。このようなものであれば、前記開閉弁６１を閉止状態にした上で前記気密キャップ５９を取り外し、養液タンク１１本体に養液を補充することができる。すなわち、タンク本体５３に養液の補充をした後前記気密キャップ５９を装着し、その後前記開閉弁６１を開成状態にすることにより他の実施形態と同様な設置状態を実現することができる。
【００４２】
なお、本発明は以上に述べた実施形態に限られない。
【００４３】
例えば、栽培ベッドは、単一の培地を載置できるようなものに限られず、多数の培地を載置できるものであってもよいのはもちろんである。栽培ベッドの容積を大きくした場合には、それに対応させて養液槽及び養液タンクの容量を増加させればよい。また、栽培ベッドの底壁は、平坦なものに限られず、根を収容することができるような凹部を設けたもの等であってもよい。
【００４４】
また、培地に肥料があらかじめ付与されているものを用いれば、養液タンク内には肥料分を積極的に混入しない純粋な水を入れておけばよい。
【００４５】
その他、本発明の趣旨を損ねない範囲で種々に変更してよい。
【符号の説明】
【００４６】
１…培地
３…栽培ベッド
５…給液ユニット
７…養液槽
９…気相
１１…養液タンク
１３…一端
１５…他端
１７…大気導入路
１９…流出口
２１…堰部
２３…漏出流路
Ｌ１…最低液位
Ｌ２…溢出液位
【図１】
2011050294.tif 000003
【図２】
2011050294.tif 000004
【図３】
2011050294.tif 000005
【図４】
2011050294.tif 000006
【図５】
2011050294.tif 000007
【図６】
2011050294.tif 000008
【図７】
2011050294.tif 000009
【図８】
2011050294.tif 000010
【図９】
2011050294.tif 000011
【図１０】
2011050294.tif 000012
【図１１】
2011050294.tif 000013
【図１２】
2011050294.tif 000014
【図１３】
2011050294.tif 000015
【図１４】
2011050294.tif 000016